(57)【要約】      （修正有）【課題】従来一般的な農家が所持しているビニールハウスの資材を利用しつつ容易に断熱層を形成することができるとともに、農作物の成長等のニーズに応じてハウスの高さ調整を行うことができる簡易中空型ハウスを提供する。【解決手段】簡易的な骨組構造を有する簡易中空型ハウス１であって、略長方形状の設置場所における長手方向の両側縁に沿って設置される基礎構造２と、これら基礎構造２の上に設置される長手側面骨組構造３と、設置場所の短手方向の両側縁上に設置される短手側面骨組構造４と、長手側面骨組構造３および短手側面骨組構造４の上に設置される屋根骨組構造５とを有しており、長手側面骨組構造３、短手側面骨組構造４および屋根骨組構造５がそれぞれ内側面および外側面をビニールシート７ａ、７ｂ、７ｃによって覆われており、各骨組構造３，４，５の内側面および外側面との間に中空空間が設けられている。【選択図】図１
0003196077.tif 000002
【実用新案登録請求の範囲】
【請求項１】
簡易的な骨組構造を有する簡易中空型ハウスであって、
略長方形状の設置場所における長手方向の両側縁に沿って設置される基礎構造と、これら基礎構造の上に設置される長手側面骨組構造と、前記設置場所の短手方向の両側縁上に設置される短手側面骨組構造と、前記長手側面骨組構造および前記短手側面骨組構造の上に設置される屋根骨組構造とを有しており、
前記長手側面骨組構造、前記短手側面骨組構造および前記屋根骨組構造がそれぞれ内側面および外側面をビニールシートによって覆われており、前記各骨組構造の内側面および外側面との間に中空空間が設けられている、簡易中空型ハウス。
【請求項２】
前記長手側面骨組構造、前記短手側面骨組構造および前記屋根骨組構造の内側面および外側面には、前記ビニールシートを固定するための溝部を備えたシート固定用壁材が設けられており、前記溝部には前記ビニールシートを嵌め入れて固定するためのシート押さえ部材が設けられている、請求項１に記載の簡易中空型ハウス。
【請求項３】
前記シート固定用壁材がリップ型溝鋼から構成されており、所定の間隔を隔てて設けられている、請求項２に記載の簡易中空型ハウス。
【請求項４】
前記長手側面骨組構造が、一組の傾斜骨材を略Ｘ字状に重ねて回動自在に連結し、この傾斜骨材組を横方向に複数個並べるとともに隣接するそれら傾斜骨材組の上端部同士および下端部同士を回動自在に連結して構成されているとともに、
前記各傾斜骨材組のうち、いずれか一以上の前記上端部および前記下端部が、垂直方向の高さを任意に調整可能な高さ調整手段によって連結されている、請求項１から請求項３のいずれかに記載の簡易中空型ハウス。
【請求項５】
前記高さ調整手段が、前記傾斜骨材組の前記上端部に連結される上端螺進骨材と、前記傾斜骨材組の前記下端部に連結される下端螺進骨材と、前記上端螺進骨材と前記下端螺進骨材との上下中間位置に配置される高さ調整ジャッキ軸とを有しており、前記高さ調整ジャッキ軸には上下部分に雄ネジが形成されているとともに、この雄ネジに螺合する雌ネジ穴が前記上端螺進骨材の下端部および前記下端螺進骨材の上端部にそれぞれ形成されている、請求項４に記載の簡易中空型ハウス。
【請求項６】
前記基礎構造には、その内部に熱交換液または地下水を流通させ得る熱交換用中空管を同一半径で同一ピッチの螺旋状に形成し、その先端を先鋭状に形成して構成された地中熱採熱機能型螺旋杭が備えられている、請求項１から請求項５のいずれかに記載の簡易中空型ハウス。
【考案の詳細な説明】
【技術分野】
【０００１】
本考案は、農作物育成等に用いられるビニールハウスにおいて、断熱性能を向上させた簡易中空型ハウスに関するものである。
【背景技術】
【０００２】
ビニールハウスは、立体的に組み立てられた鋼管等の骨組みをビニールシートで覆うことによって形成される簡易的な構造物である。骨組みを覆う前記ビニールシートは、室内に太陽光を透過させることができるとともに、室内と室外との空気の流通を遮断することができる。よって、前記ビニールハウスは、室内の気温を室外の気温に比べて温暖にすることができるとともに当該温暖な気温をある程度維持することができることから、主に、温暖な気候条件を好む農作物の育成に用いられている。また、近年では、太陽熱による暖房効果に加えて、冷暖房機器による積極的な温度管理が行われている。
【０００３】
しかし、従来のビニールハウスは、室内と室外とが１枚のビニールシートを隔てただけの構造であるため、室外の気温変化は室内に伝わり易く、室外の気温に急激な変化によって室内の育成環境は簡単に乱されてしまう。このようなとき、冷暖房機器によって室内を最適な気温に維持するためには、複雑な温度管理が必要であるとともに、多大なランニングコストがかかってしまう。
【０００４】
そこで、これまでに室内と室外との間の断熱性を高めて室外の気温変化にも対応できるビニールハウスに関する考案が提案されている。
【０００５】
例えば、特開２０１３−５７９７号公報には、四角管体形状で構成されたフレームによってビニールハウスの骨組みが組まれ、前記フレームの内側面に挿入溝を設け、この挿入溝に予め二重に構成されビニールフィルムを内入固定してなるビニールハウスが提案されている（特許文献１）。この特許文献１によれば、ビニールハウスの施工と同時に断熱層が形成されるとともに、作業時間の短縮、メンテナンスの簡素化、省エネを実現できるとされている。
【先行技術文献】
【特許文献】
【０００６】
【特許文献１】特開２０１３−５７９７号公報
【考案の概要】
【考案が解決しようとする課題】
【０００７】
しかしながら、特許文献１に記載された考案においては、従来の一般的なフレームやビニールシートの固定具を使用するタイプではないため、農家が所持しているビニールハウス用の骨組みやビニールシート等の資材を利用することができないという問題がある。
【０００８】
一方、農作物は、成長度合いに応じて高さが高くなるものが多く、成長に合わせてビニールハウスの高さを調整したいというニーズがある。しかし、特許文献１に記載された考案においては、特に高さ調整ができる構造ではないため、予め必要な高さを確保して組み立てるしかない。
【０００９】
本考案は、このような問題点を解決するためになされたものであって、従来一般的な農家が所持しているビニールハウスの資材を利用しつつ容易に断熱層を形成することができるとともに、農作物の成長等のニーズに応じてハウスの高さ調整を行うことができる簡易中空型ハウスを提供することを目的としている。
【課題を解決するための手段】
【００１０】
本考案に係る簡易中空型ハウスは、簡易的な骨組構造を有する簡易中空型ハウスであって、略長方形状の設置場所における長手方向の両側縁に沿って設置される基礎構造と、これら基礎構造の上に設置される長手側面骨組構造と、前記設置場所の短手方向の両側縁上に設置される短手側面骨組構造と、前記長手側面骨組構造および前記短手側面骨組構造の上に設置される屋根骨組構造とを有しており、前記長手側面骨組構造、前記短手側面骨組構造および前記屋根骨組構造がそれぞれ内側面および外側面をビニールシートによって覆われており、前記各骨組構造の内側面および外側面との間に中空空間が設けられている。
【００１１】
また、本考案の一態様として、前記長手側面骨組構造、前記短手側面骨組構造および前記屋根骨組構造の内側面および外側面には、前記ビニールシートを固定するための溝部を備えたシート固定用壁材が設けられており、前記溝部には前記ビニールシートを嵌め入れて固定するためのシート押さえ部材が設けられていてもよい。
【００１２】
さらに、本考案の一態様として、前記シート固定用壁材がリップ型溝鋼から構成されており、所定の間隔を隔てて設けられていてもよい。
【００１３】
また、本考案の一態様として、前記長手側面骨組構造が、一組の傾斜骨材を略Ｘ字状に重ねて回動自在に連結し、この傾斜骨材組を横方向に複数個並べるとともに隣接するそれら傾斜骨材組の上端部同士および下端部同士を回動自在に連結して構成されているとともに、前記各傾斜骨材組のうち、いずれか一以上の前記上端部および前記下端部が、垂直方向の高さを任意に調整可能な高さ調整手段によって連結されていてもよい。
【００１４】
さらに、本考案の一態様として、前記高さ調整手段が、前記高さ調整手段が、前記傾斜骨材組の前記上端部に連結される上端螺進骨材と、前記傾斜骨材組の前記下端部に連結される下端螺進骨材と、前記上端螺進骨材と前記下端螺進骨材との上下中間位置に配置される高さ調整ジャッキ軸とを有しており、前記高さ調整ジャッキ軸には上下部分に雄ネジが形成されているとともに、この雄ネジに螺合する雌ネジ穴が前記上端螺進骨材の下端部および前記下端螺進骨材の上端部にそれぞれ形成されていてもよい。
【００１５】
さらにまた、本考案の一態様として、前記基礎構造には、その内部に熱交換液または地下水を流通させ得る熱交換用中空管を同一半径で同一ピッチの螺旋状に形成し、その先端を先鋭状に形成して構成された地中熱採熱機能型螺旋杭が備えられていてもよい。
【考案の効果】
【００１６】
本考案によれば、農家が所持しているビニールハウスの資材を利用しつつ容易に断熱層を形成することができるとともに、農作物の成長等のニーズに応じてハウスの高さ調整を行うことができる。
【図面の簡単な説明】
【００１７】
【図１】本考案に係る簡易中空型ハウスの一実施形態を長手側面方向から見た図である。
【図２】本実施形態の簡易中空型ハウスを短手側面方向から見た図である。
【図３】本実施形態における地中熱採熱型螺旋杭の先端側およびその内部構造を示す一部断面図である。
【図４】他の実施形態において、２本の熱交換用中空管を並列させた地中熱採熱型螺旋杭を示す図である。
【図５】他の実施形態において、熱交換用中空管の先端近傍にストレーナーを設けて地下水を導入できるようにした地中熱採熱型螺旋杭を示す図である。
【図６】本実施形態における一組の傾斜骨材を略Ｘ字状に重ねて連結した傾斜骨材組を示す図である。
【図７】本実施形態における高さ調整手段を示す斜視図である。
【図８】本実施形態における扉体の骨組構造を示す斜視図である。
【図９】本実施形態におけるシート固定用壁材を示す斜視図である。
【図１０】本実施形態におけるシート押さえ部材を示す図である。
【図１１】本実施形態において、ビニールシートをシート固定用壁材に挿入し、シート押さえ部材によって固定された状態を示す断面図である。
【図１２】他の実施形態におけるシート押さえ部材を示す斜視図である。
【図１３】本実施形態において、長手側面骨組構造にのみビニールシートを設けた状態を示す長手側面方向から見た図である。
【図１４】本実施形態において、長手側面骨組構造にのみビニールシートを設けた状態を示す短手側面方向から見た図である。
【図１５】本実施形態において、短手側面骨組構造にのみビニールシートを設けた状態を示す長手側面方向から見た図である。
【図１６】本実施形態において、短手側面骨組構造にのみビニールシートを設けた状態を示す短手側面方向から見た図である。
【図１７】本実施形態において、屋根骨組構造にのみビニールシートを設けた状態を示す長手側面方向から見た図である。
【図１８】本実施形態において、屋根骨組構造にのみビニールシートを設けた状態を示す短手側面方向から見た図である。
【図１９】他の実施形態において、高さ調整手段を屋根骨組構造を支持する支持柱として使用した状態を示す図である。
【考案を実施するための形態】
【００１８】
以下、本考案に係る簡易中空型ハウス１の一実施形態について図面を用いて説明する。
【００１９】
本実施形態の簡易中空型ハウス１は、図１および図２に示すように、主に、簡易中空型ハウス１において構造上の基礎となる基礎構造２と、壁の骨組みとなる長手側面骨組構造３および短手側面骨組構造４と、屋根の骨組みとなる屋根骨組構造５と、高さの調整を行う高さ調整手段６と、前記長手側面骨組構造３、前記短手側面骨組構造４および前記屋根骨組構造５の内側面および外側面を覆うビニールシート７と、地中熱を利用して当該簡易中空型ハウス１内の冷暖房を行う冷暖房用熱交換器８とを有している。
【００２０】
基礎構造２は、長手側面骨組構造３の基礎となるものであり、本実施形態では、図１および図２に示すように、任意の略長方形状の設置場所における長手方向の両側縁に沿って等間隔に地中に埋設される複数本の地中熱採熱型螺旋杭２１と、これら地中熱採熱型螺旋杭２１上に固定される溝鋼２２とを有している。なお、基礎構造２は、地中熱採熱型螺旋杭２１および溝鋼２２によるものに限定されるものではなく、従来のビニールハウスで用いられているコンクリート基礎等から適宜選択してもよい。
【００２１】
地中熱採熱型螺旋杭２１は、引き抜く力や押し付ける力等の上下方向の力に対して耐力を強くするために螺旋状に形成された杭であって、本実施形態では、図３に示すように、螺旋状の熱交換用中空管２１１と、この螺旋状の熱交換用中空管２１１に沿って挿入される内装管２１２との二重管構造を有している。前記熱交換用中空管２１１の先端は、先鋭状に形成されており、地中に刺さり易くすることで地中にねじ込み易くなっている。また、前記熱交換用中空管２１１は、同一半径で同一ピッチの螺旋状に形成されており、先端によって地中に形成された穴に沿ってねじ込ませることで、ねじ込む際の摩擦抵抗を低減させるようになっている。さらに、前記内装管２１２の先端は、前記熱交換用中空管２１１内と連通されており、前記熱交換用中空管２１１との間で熱交換液が行き交うことができるようになっている。
【００２２】
溝鋼２２は、図１および図２に示すように、溝部２２１を有する長尺状の鋼材であり、地中熱採熱型螺旋杭２１を埋設した後にその上に固定される。本実施形態における溝鋼２２は、リップ型溝鋼によって構成されており、長手側面骨組構造３を嵌め合わせるため前記溝部２２１が上方に向けて設置されている。
【００２３】
なお、地中熱採熱型螺旋杭２１は、二重管構造に限定されるものではなく、例えば、図４に示すように、２本の熱交換用中空管２１１を並列させるとともに、図示しないが、先端近傍で流通可能に連通させた構成としてもよく、図５に示すように、熱交換用中空管２１１の先端近傍にストレーナー２１３を設けて地下水を導入できる構成としてもよい。また、溝鋼２２は、リップ型溝鋼に限定されるものではなく、溝部２２１が形成されている各種鋼材から適宜選択してもよい。
【００２４】
長手側面骨組構造３は、図１に示すように、長手方向に設けられる壁の骨組みであり、本実施形態では、高さの調整を可能とするため上下方向に伸縮可能な複数個の傾斜骨材組３１からなる。なお、長手側面骨組構造３は、高さ調整可能な骨組みからなるものに限定されるものではなく、従来のビニールハウスで用いられている縦横略格子状に組み立てられる骨組み等から適宜選択してもよい。
【００２５】
傾斜骨材組３１は、図６に示すように、略Ｘ字状に重ねて回動自在に連結された２本一組の傾斜骨材３２，３２からなり、各傾斜骨材３２，３２の相対的な傾斜角度を変えることで、高さの調整ができるようになっている。
【００２６】
各々の傾斜骨材３２は、縦長状の板材によって形成されており、四隅は基礎構造２の溝鋼２２における溝部２２１および後述する屋根骨組構造５の横材５１における溝部５１１において摺動する際の摩擦抵抗を削減するため丸く面取りされている。
【００２７】
また、傾斜骨材３２の長手方向の略中央部には、他の傾斜骨材３２と回動自在に連結するために中央連結孔３３が形成されている。つまり、傾斜骨材組３１は、２本の前記傾斜骨材３２，３２の中央連結孔３３同士を連結することによって構成される。
【００２８】
さらに、傾斜骨材３２の上端部近傍および下端部近傍には、他の傾斜骨材３２に連結するための上端部連結孔３４および下端部連結孔３５が形成されている。傾斜骨材組３１は、図１に示すように、横方向に複数個並べられ、隣接する上端部連結孔３４同士、隣接する下端部連結孔３５同士を連結することで長手側面骨組構造３を構成している。
【００２９】
高さ調整手段６は、垂直方向に伸縮する機能を有し、この機能により長手側面骨組構造３の高さを調整するためのものである。本実施形態における高さ調整手段６は、図７に示すように、上端部連結孔３４に連結される上端螺進骨材６１と、下端部連結孔３５に連結される下端螺進骨材６２と、上端螺進骨材６１と下端螺進骨材６２との上下中間位置に配置される高さ調整ジャッキ軸６３とを有している。
【００３０】
上端螺進骨材６１は、略四角柱状の外形を有しており、その下端面には高さ調整ジャッキ軸６３の雄ネジ６４ａと螺合する雌ネジ穴６５ａが形成されている。また、上端螺進骨材６１の上端近傍の側面には傾斜骨材３２の上端部連結孔３４に連結可能な骨材連結部６６ａが形成されている。
【００３１】
下端螺進骨材６２は、上端螺進骨材６１を上下反転させた形状に形成されている。つまり、下端螺進骨材６２は、略四角柱状の外形を有しており、その上端面には高さ調整ジャッキ軸６３の雄ネジ６４ｂに螺合する雌ネジ穴６５ｂが形成されている。また、下端螺進骨材６２の下端近傍の側面には下端部連結孔３５に連結される骨材連結部６６ｂが形成されている。
【００３２】
高さ調整ジャッキ軸６３は、前記上端螺進骨材６１および前記下端螺進骨材６２の雌ネジ穴６５ａ，６５ｂに螺合する雄ネジ６４ａ，６４ｂと、この雄ネジ６４ａ，６４ｂに回転力を伝達する回転伝達部６７とを有する。雄ネジ６４ａ，６４ｂは、上端螺進骨材６１および下端螺進骨材６２に螺合するため、回転伝達部６７を中心として上方および下方にそれぞれ延出されている。また、上方の雄ネジ６４ａおよび下方の雄ネジ６４ｂには、それぞれ上端螺進骨材６１および下端螺進骨材６２を回転伝達部６７を中心に上下対称に螺進させるため、左右逆方向のネジ山が形成されている。
【００３３】
また、回転伝達部６７は、棒状のハンドルを挿入するハンドル孔６８を有しており、ハンドルによる回転操作を受けることで上下両方向に設けられた雄ネジ６４ａ，６４ｂに回転力を伝えるようになっている。なお、回転伝達部６７への回転力の伝達方法は、棒状のハンドルによるものに限定されるものではなく、例えば、電動モーター等、各雄ネジ６４ａ，６４ｂに回転力を伝達可能なものから適宜選択してもよい。
【００３４】
なお、本実施形態における高さ調整手段６は、図１に示すように、複数個の傾斜骨材組３１，３１・・・が連結された長手側面骨組構造３の両端部に設けられている。
【００３５】
短手側面骨組構造４は、設置位置の短手方向の両側縁上に設置され、簡易中空型ハウス１における短手側面の壁となる骨組構造である。本実施形態における短手側面骨組構造４は、前記高さ調整手段６の厚さ分の断熱層を形成するために、短手側面側の前記高さ調整手段６の内側面および外側面に縦横略格子状に配置して固定された棒状の鋼材からなり、この鋼材はビニールシートを固定するためのシート固定用壁材７１を兼ねている。前記シート固定用壁材７１の詳細および配置等について後述する。なお、短手側面骨組構造４は、シート固定用壁材７１からなるものに限定されるものではなく、従来のビニールハウスで用いられている縦横略格子状に組み立てられる骨組み等から適宜選択してもよい。
【００３６】
また、短手側面骨組構造４には、出入口となる扉体４１が設けられており、図８に示すように、この扉体４１も内側面および外側面を有する二重構造となるように鋼管によって前記高さ調整手段６の厚みを持った略箱状に形成されている。また、前記扉体４１は、図１に示すように、短手側面骨組構造４の鋼材に蝶番等によって開閉可能に固定されている。なお、扉体４１は、長手側面骨組構造３に設けられていてもよい。
【００３７】
屋根骨組構造５は、長手側面骨組構造３および短手側面骨組構造４の上に設置され、簡易中空型ハウス１の屋根となるものである。本実施形態における屋根骨組構造５は、図１および図２に示すように、内側面および外側面との間に中空空間を設けるため二重構造を有している。具体的には、長手側面骨組構造３の上部を嵌め合わせる溝部５１１を有する横材５１と、頂部に設置される外側棟材５２と、この外側棟材５２の下方に配置される内側棟材５３、前記横材５１の外側面と前記外側棟材５２とを縦方向に連結する複数の外側垂材５４と、前記横材５１の内側面と前記内側棟材５３とを縦方向に連結する複数の内側垂材５５とを有する。なお、屋根骨組構造５は、外側棟材５２等による構成に限定されるものではなく、従来のビニールハウスで用いられているアーチ状に形成された鋼管等の屋根骨組構造５から適宜選択してもよい。
【００３８】
また、屋根骨組構造５の内側面および外側面の間には太陽光発電パネル５６が設けられている。この太陽光発電パネル５６は、太陽光を受光し易くするため、外側棟材５２および外側垂材５４とは重ならないように配置されているとともに、太陽光を農作物にも受光させるため、屋根骨組構造５との間に隙間が設けられている。本実施形態における太陽光発電パネル５６は、内側垂材５５の上方に固定されている。また、太陽光発電パネル５６は、図示しないが、配電盤等に接続されており、発電した電力を適宜利用できるようになっている。
【００３９】
ビニールシート７は、簡易中空型ハウス１全体を覆うことで室内と室外とを隔てるものであり、特に、長手側面骨組構造３、短手側面骨組構造４および屋根骨組構造５の内側面および外側面の両面に設けられることで、各骨組構造３，４，５の厚さ分の断熱層となる中空空間を形成するものである。本実施形態におけるビニールシート７の素材は、一般的なビールハウスに用いられるビニールシートであって、太陽光を透過させるために透明または半透明のものが用いられている。
【００４０】
本実施形態における前記ビニールシート７は、シート固定用壁材７１およびシート押さえ部材７２によって各骨組構造３，４，５の内側面および外側面に固定されている。
【００４１】
シート固定用壁材７１は、前記ビニールシート７を嵌め入れ可能な溝部７３を有する棒材である。本実施形態におけるシート固定用壁材７１は、図９に示すように、長尺状のリップ型溝鋼から構成されているとともに、前記溝部７３の端縁にはシート押さえ部材７２を係止可能な係止突出部７４が形成されており、断面略Ｃ型形状に形成されている。
【００４２】
長手側面骨組構造３におけるシート固定用壁材７１ａは、図１３および図１４に示すように、前記長手側面骨組構造３の上部側にビニールシート７の開閉が行える空気取り入れ部３６を形成するため、前記長手側面骨組構造３の上部に隙間が形成されるように設けられている。具体的には、シート固定用壁材７１ａは、長手側面骨組構造３の両端に設けられた上端螺進骨材６１の下端部近傍同士を略水平状態で連結するように固定されており、ビニールシート７の上縁部を固定できるようになっている。また、本実施形態では、前記シート固定用壁材７１ａの下方にも、縦横略格子状のシート固定用壁材７１ａを設けることにより、任意の高さ位置で前記ビニールシート７ａを固定できるようになっている。
【００４３】
短手側面骨組構造４におけるシート固定用壁材７１ｂは、図１５および図１６に示すように、外側面の短手側面骨組構造４の外周縁に沿って配置されているとともに、内側面においては長手側面骨組構造３の内側面および屋根骨組構造５と接する縁部に沿って配置されている。また、本実施形態における短手側面骨組構造４には、縦横略格子状のシート固定用壁材７１ｂを設けており、ビニールシート７ｂを任意の箇所で固定できるようになっている。さらに、図８に示すように、扉体４１にも、外側面および内側面における外側縁に沿ってシート固定用壁材７１ｂが固定されている。
【００４４】
屋根骨組構造５におけるシート固定用壁材７１ｃは、図１および図２に示すように、外側面では外側棟材５２および横材５１に沿って設けられているとともに、内側面では内側棟材５３および横材５２に沿って設けられている。また、本実施形態では、短手側面骨組構造４近傍の両側端にも設けられている。
【００４５】
シート押さえ部材７２は、シート固定用壁材７１の溝部７３における両側面にビニールシート７を押し当てることで前記溝部７３にビニールシート７を固定するものである。本実施形態におけるシート押さえ部材７２は、図１０に示すように、略波形状に屈曲された針金によって構成されている。このシート押さえ部材７２の波高は、前記溝部７３の両側面の間隔より若干大きく形成されており、図１１に示すように、前記溝部７３内に縮められた状態で嵌め入れられ、その後、元の形状に復元する力によって前記溝部７３の両側面にビニールシート７を押し付けるようになっている。
【００４６】
なお、シート押さえ部材７２は、波形状の針金構造に限定されるものではなく、ビニールシート７を溝部７３内の両側面に押し付ける力を発揮させる様々な構造から適宜選択してもよい。例えば、図１２に示すように、縦方向の長さが溝部７３の両側面の間隔より若干大きく形成されるとともに、横方向の長さが対向する係止突出部７４間の間隔よりも小さく形成された楕円板状のシート押さえ部材７２ａとして構成し、当該シート押さえ部材７２ａを横向き状態で前記溝部７３に挿入し、回転させることによりその外周縁を前記溝部７３内の両側面に押し当ててビニールシート７を固定するようにしてもよい。
【００４７】
長手側面骨組構造３におけるビニールシート７ａは、図１３および図１４に示すように、上縁部が上端螺進骨材６１に設けられた前記シート固定用壁材７１ａに固定されるとともに、必要に応じて略格子状に配置されたシート固定用壁材７１ａにも固定される。また、ビニールシート７ａの下縁部は、図１４に示すように、空気等の流入を防ぐために地表面を覆うように垂れ下げられる。これにより、長手側面骨組構造３には、内側面と外側面との間の厚さ分の中空空間が形成される。
【００４８】
短手側面骨組構造４におけるビニールシート７ｂは、図１５および図１６に示すように、外側面においては外周縁に設けられたシート固定用壁材７１ｂ、内側面においては屋根骨組構造５と接する縁部に沿って設けられたシート固定用壁材７１ｂに固定されるとともに、必要に応じて略格子状に配置されたシート固定用壁材７１ｂにも固定される。また、ビニールシート７ｂの下縁部は、図１５に示すように、空気等の流入を防ぐために地表面を覆うように垂れ下げられる。さらに、扉体４１においても、内側面および外側面の全面にビニールシート７ｂが固定されている。これにより、短手側面骨組構造４には、内側面と外側面との間の厚さ分の中空空間が形成される。
【００４９】
屋根骨組構造５におけるビニールシート７ｃは、図１７および図１８に示すように、外側面においては上縁部が外側棟材５２に沿って設けられたシート固定用壁材７１ｃに固定されているとともに、横材５１に沿って設けられたシート固定用壁材７１ｃにも固定されている。内側面においては上縁部が内側棟材５３に沿って設けられたシート固定用壁材７１ｃに固定されているとともに、横材５１に沿って設けられたシート固定用壁材７１ｃにも固定されている。また、各面における短手側面骨組構造４近傍の両側端に設けられているシート固定用壁材７１ｃにも固定される。
【００５０】
さらに、屋根骨組構造５におけるビニールシート７ｃの下縁部は、長手側面骨組構造３における空気取り入れ部３６よりも下方まで垂れ下げられている。これにより、空気取り入れ部３６の内側面および外側面をビニールシート７ｃで覆い、中空空間が形成されるようになっている。また、本実施形態における屋根骨組構造５におけるビニールシート７ｃの下縁部には、ロール状に巻き上げることの可能なシート昇降手段７５が設けられている。なお、シート昇降手段７５の形状は、特に限定されるものではなく、ビニールシート７を蛇腹状に折り畳むことで昇降させる機構等から適宜選択してもよい。
【００５１】
冷暖房用熱交換器８は、地中熱を利用して簡易中空型ハウス１内の冷暖房を行うためのものであり、図２に示すように、地中熱を採熱する熱交換液を循環させる循環ポンプ８１と、採熱された地中熱を簡易中空型ハウス１内で放熱する放熱パイプ８２とを有する。
【００５２】
循環ポンプ８１は、地中熱採熱型螺旋杭２１や放熱パイプ８２内に熱交換液を流通させるためのポンプであり、軸流式ポンプや容積型ポンプ等から適宜選択されるものである。
【００５３】
放熱パイプ８２は、放熱し易いように略波形状に形成された鋼管からなり、簡易中空型ハウス１内に配置されている。また、地中熱採熱型螺旋杭２１および循環ポンプ８１に熱交換液が流通可能に連結されている。なお、放熱パイプ８２の形状は、特に限定されるものではなく、必要とされる放熱量等に応じて適宜設計してもよい。
【００５４】
次に、本実施形態の簡易中空型ハウス１における各構成の作用について説明する。
【００５５】
本実施形態における簡易中空型ハウス１では、ビニールシート７を透過した太陽光とともに冷暖房用熱交換器８を稼働することにより得られる地中熱によって、室内温度を農作物の成長に適した温度に維持する。特に、冷暖房用熱交換器８では、循環ポンプ８１を駆動することで熱交換液を循環させ、地上の気温に比べて一年を通した温度変化が非常に少ない地中熱を採熱し、その熱を、放熱パイプ８２から室内に放出する。そのため、簡易中空型ハウス１の室内は、夏は適度に涼しく、冬は適度に暖かい室内環境にすることができる。
【００５６】
また、簡易中空型ハウス１では、各骨組構造３，４，５における内側面および外側面の両面にビニールシート７が設けられており、その間に中空空間が形成されている。この中空空間には、空気が充満しており、魔法瓶のような外気温の伝わりにくい高断熱の断熱層が形成される。つまり、簡易中空型ハウス１は、断熱性能が高く、熱を外部に逃がさない構造で覆われた状態となる。そのため、簡易中空型ハウス１の室内では、太陽光により得られた熱や冷暖房用熱交換器８によって得られた熱を保持し続けることができる。
【００５７】
また、本実施形態における長手側面骨組構造３は、高さ調整手段６によって高さの調整が可能である。具体的には、長手側面骨組構造３の両端に設けられた高さ調整ジャッキ軸６３を一斉に回転させ、上端螺進骨材６１および下端螺進骨材６２をそれぞれ螺進させる。このとき、上端螺進骨材６１および下端螺進骨材６２に螺合している雄ネジ６４ａ，６４ｂが左右逆方向のネジ山を備えているため、高さ調整ジャッキ軸６３を中心として対称に螺進する。つまり、所定の方向に回転させると上端螺進骨材６１および下端螺進骨材６２の相対的な位置は離れ、逆方向に回転させると上端螺進骨材６１および下端螺進骨材６２の相対的な位置は近づく。
【００５８】
高さ調整手段６に連結された複数の傾斜骨材組６１は、マジックハンドのように連動して、高さが同一になるように上下方向に稼働する。よって、高さ調整手段６による操作のみで、長手側面骨組構造３全体の高さを容易に調整することができる。
【００５９】
このとき、長手側面骨組構造３に設けられたビニールシート７ａの下縁部および短手側面骨組構造４に設けられたビニールシート７ｂの下縁部は、各骨組構造３，４や地表面に固定されていないため、長手側面骨組構造３の高さを調整した場合であっても、垂れ下げた部分が各骨組構造３，４の下部を覆うため、内側面および外側面の全面は、常にビニールシートで覆われた状態を維持する。よって、本実施形態の簡易中空型ハウス１では、高さ調整の可能な構造を有していても断熱層を破壊することなく、一定の断熱性能を維持することができる。
【００６０】
また、シート昇降手段７５では、屋根骨組構造５に設けられたビニールシート７ｃの下縁部を巻き上げることで空気取り入れ部３６を開口する。これにより、室内の温度が上昇し過ぎたときの温度管理や湿度管理等のために、適宜外気を導入することができる。
【００６１】
太陽光発電パネル５６では、太陽光を受光することで発電が行われる。ビニールシート７は透明または半透明に形成されているため、外側面と内側面との間に設けられた太陽光発電パネル５６は受光が可能となり、農作物へ太陽光を供給することもできる。また、太陽光発電パネル５６と屋根骨組構造５との間の隙間によって、農作物に太陽光が降り注ぐため、育成への悪影響はほとんど無い。発電された電力は、配電盤に送られ、適宜、電気機器等を稼働させる。また、余剰電力は送電線に供給して売電を行う。
【００６２】
以上のような本実施形態の簡易型中空ハウス１によれば、以下の効果を得ることができる。
１．断熱効果を高め、室内温度の管理をし易くすることで、農作物の育成を促進するとともに、冷暖房用熱交換器８のランニングコストを抑制することができる。
２．ビニールシート７や各骨組構造３，４，５は、従来から農家が所持しているビニールハウスの資材を利用することができるため、導入コストを少額にすることができる。
３．農作物の育成状況に応じて高さを変えることができ、かつ、高さを調整変更しても高い断熱性を維持することができる。
４．太陽光発電機能を兼ね備えることで、売電等によって農家は農作物以外の収入源を確保することができ、農業経営の安定化を図ることができる。
【００６３】
なお、本考案に係る簡易型中空ハウス１は、前述した実施形態に限定されるものではなく、適宜変更することができる。
【００６４】
例えば、高さ調整手段６は、図１９に示すように、屋根骨組構造５を支持する支持柱として使用してもよい。
【符号の説明】
【００６５】
１  簡易中空型ハウス
２  基礎構造
３  長手側面骨組構造
４  短手側面骨組構造
５  屋根骨組構造
６  高さ調整手段
７  ビニールシート
８  冷暖房用熱交換器
２１  地中熱採熱型螺旋杭
２２  溝鋼
３１  傾斜骨材組
３２  傾斜骨材
３３  中央連結孔
３４  上端部連結孔
３５  下端部連結孔
３６  空気取り入れ部
４１  扉体
５１  横材
５２  外側棟材
５３  内側棟材
５４  外側垂材
５５  内側垂材
５６  太陽光発電パネル
６１  上端螺進骨材
６２  下端螺進骨材
６３  高さ調整ジャッキ軸
６４  雄ネジ
６５  雌ネジ穴
６６  骨材連結部
６７  回転伝達部
６８  ハンドル孔
７１  シート固定用壁材
７２  シート押さえ部材
７３  溝部
７４  係止突出部
７５  シート昇降手段
８１  循環ポンプ
８２  放熱パイプ
２１１  熱交換用中空管
２１２  内装管
２１３  ストレーナー
２２１  溝部
５１１  溝部
【図１】
0003196077.tif 000003
【図２】
0003196077.tif 000004
【図３】
0003196077.tif 000005
【図４】
0003196077.tif 000006
【図５】
0003196077.tif 000007
【図６】
0003196077.tif 000008
【図７】
0003196077.tif 000009
【図８】
0003196077.tif 000010
【図９】
0003196077.tif 000011
【図１０】
0003196077.tif 000012
【図１１】
0003196077.tif 000013
【図１２】
0003196077.tif 000014
【図１３】
0003196077.tif 000015
【図１４】
0003196077.tif 000016
【図１５】
0003196077.tif 000017
【図１６】
0003196077.tif 000018
【図１７】
0003196077.tif 000019
【図１８】
0003196077.tif 000020
【図１９】
0003196077.tif 000021